(57)【要約】【課題】  テレビジョン受信装置に付属のチャンネル設定用ボタンを押下するだけで、チャンネル設定が自動的に行われるようにする。【解決手段】  テレビジョン受信機１は、チャンネル設定用ボタン（図示は省略）が押下されると、サーバ２に、公衆通信回線３を介して、発信者通知モードで発信する。これにより、テレビジョン受信機１に割り当てられた公衆通信回線３の電話番号がサーバ２に通知される。サーバ２は、事前に登録されているチャンネル設定用データの内から、この通知された電話番号の地域に適合するチャンネル設定用データを検索し、公衆通信回線３を介して、テレビジョン受信機１に送信する。テレビジョン受信機１は、送信されたチャンネル設定用データを、内蔵するメモリ１５に格納する。これによりチャンネルプリセットが完了する。【選択図】  図２
2006129183.tif 000002
【特許請求の範囲】
【請求項１】
記憶手段に記憶されたチャンネル設定用データに従ってテレビジョン放送を選局受信するテレビジョン受信装置と、前記チャンネル設定用データを登録しているサーバとが、公衆通信回線を介して接続されているチャンネル設定登録システムであって、
前記テレビジョン受信装置から、前記サーバに、前記公衆通信回線を介して、発信者通知モードで発信することにより、前記テレビジョン受信装置に割り当てられた前記公衆通信回線の電話番号を前記サーバに通知する手段と、
前記サーバにおいて、前記登録されているチャンネル設定用データの内から、前記通知された電話番号の地域に適合するチャンネル設定用データを検索する手段と、
前記サーバから、前記検索されたチャンネル設定用データを、前記公衆通信回線を介して、前記テレビジョン受信装置に送信する手段と、
前記テレビジョン受信装置において、前記送信されたチャンネル設定用データを、前記記憶手段に格納する手段と、
を備えたことを特徴とするチャンネル設定登録システム。
【請求項２】
前記記憶手段には、前記テレビジョン受信装置の出荷時のチャンネル設定用データが予め格納されていることを特徴とする請求項１に記載のチャンネル設定登録システム。
【請求項３】
前記テレビジョン受信装置からの前記発信により、前記テレビジョン受信装置と前記サーバとの接続に失敗した場合に、再度、前記テレビジョン受信装置からの前記発信者通知モードでの発信を行うことを特徴とする請求項１または請求項２に記載のチャンネル設定登録システム。
【請求項４】
前記テレビジョン受信装置に付属しているチャンネル設定用ボタンが押下された時に、前記サーバへの前記発信者通知モードでの発信がなされることを特徴する請求項１から請求項３のいずれか１項に記載のチャンネル設定登録システム。
【請求項５】
チャンネル設定用データを登録しているサーバと公衆通信回線を介して接続され、記憶手段に記憶する前記チャンネル設定用データに従ってテレビジョン放送を選局受信するテレビジョン受信装置であって、
前記サーバに、前記公衆通信回線を介して、発信者通知モードで発信することにより、自己に割り当てられた前記公衆通信回線の電話番号を前記サーバに通知する手段と、
前記電話番号の通知を受け、前記登録されているチャンネル設定用データの内から前記電話番号の地域に適合するチャンネル設定用データを検索した前記サーバから、前記検索されたチャンネル設定用データが前記公衆通信回線を介して送信されてきた時に、これを前記記憶手段に格納する手段と、
を備えたことを特徴とするテレビジョン受信装置。
【請求項６】
前記記憶手段には、出荷時のチャンネル設定用データが予め格納されていることを特徴とする請求項５に記載のテレビジョン受信装置。
【請求項７】
前記発信により、前記サーバとの接続に失敗した場合に、再度、前記発信者通知モードでの発信を行うことを特徴とする請求項５または請求項６に記載のテレビジョン受信装置。
【請求項８】
チャンネル設定のトリガを発生するチャンネル設定用ボタンが押下された時に、前記サーバへの前記発信者通知モードでの発信を行うことを特徴する請求項５から請求項７のいずれか１項に記載のテレビジョン受信装置。
【発明の詳細な説明】
【技術分野】
【０００１】
本発明は、地上波のテレビジョン放送を受信するテレビジョン受信装置のチャンネルを設定することができるチャンネル設定登録システム及びテレビジョン受信装置に関する。
【背景技術】
【０００２】
従来、地上波のテレビジョン放送を受信するテレビジョン受信装置を、新たに使い始める時、若しくは、引越し等の都合により、それまで使用していた場所における放送局のチャンネルと、移転先における放送局のチャンネルとが不一致となることがあり、このような場合には、テレビジョン受信装置のユーザは、変更後の受信チャンネルに新たに設定し直すか、若しくは既設定チャンネルの設定変更を行う必要が生じる。
【０００３】
さらに、中継局等が送信チャンネルを変更し、既設定チャンネルと異なる放送チャンネルに変更された場合にも、テレビジョン受信装置のユーザは、変更後の受信チャンネルに新たに設定し直すか、若しくは既設定チャンネルの設定変更を行う必要が生じる。
【０００４】
以下、従来のチャンネル設定登録方法について説明する。
【０００５】
まず、ユーザは、新聞のテレビ欄や取扱説明書を基に、放送局の１チャンネル毎に手動で入力してプリセットを行う。なお、最近では、この手間を軽減するために、放送局のチャンネルの異なる地域毎に、予め地域コードを割り当てておき、設置場所の地域コードをユーザが選択して入力することで、受信可能なチャンネルを一括して設定できるようにしている。
【０００６】
しかし、テレビジョン受信装置のマイコン付属のメモリの記憶容量には限界があり、チャンネル設定登録に関し、各地方などの中継局まで全てカバーするのは事実上不可能であった。
【０００７】
以下、上記問題点を解決するための従来技術について説明する。
【０００８】
第１の従来技術によれば、汎用のネットワーク上に設けられたサーバに、予め決められた方式で、地域毎のチャンネル情報（ＣＨ，周波数，表示番号等）を登録しておく。電話回線等により前記ネットワークに接続されたテレビジョン受信装置は、前記サーバにアクセスし、データをダウンロードして画面に表示する。ユーザは、画面に表示された情報から自分が住んでいる地域を選択する。この地域の選択情報は、再び前記サーバに送信される。前記サーバは、この選択された情報に基づいて、該当する所定のチャンネル情報を選択し、前記テレビジョン受像機に送信する。これにより、前記テレビジョン受像機は、この送信されたチャンネル情報をダウンロードし、この情報に基づいてチャンネルプリセットを行う（例えば、特許文献１参照。）。
【０００９】
第２の従来技術によれば、テレビジョン受信装置の読み出し専用メモリに、チャンネルプリセット処理ルーチン及びチャンネルプリセット用テーブルを書き込んでおく。チャンネルプリセット用テーブルは、電話番号中の市外局番と、それぞれの市外局番の地域で受信可能なチャンネルのリストを示したものである。ユーザは、操作パネルキーまたはリモコン信号発生器を操作して、自己の電話番号を入力し、マイコンによって不揮発性メモリに登録する。これにより、前記マイコンは、チャンネルプリセット処理ルーチンに従って、まず登録した電話番号の市外局番を抽出し、次にチャンネルプリセット用テーブルを参照して、その抽出した市外局番により特定される地域において受信可能なチャンネルのリストを選択し、最後に、この選択したチャンネルリストを、不揮発性メモリに書き込む（例えば、特許文献２参照。）。
【００１０】
第３の従来技術によれば、テレビジョン受信装置に、自己が存在している位置（場所）を検出するための携帯電話端末装置、ＧＰＳ装置などの検出部を具備し、この検出部により検出された位置に基づき、放送局のサービスエリアに対応したチャンネル情報を設定する（例えば、特許文献３参照。）。
【特許文献１】特開平１０−２５７４０２号公報
【特許文献２】特開平１０−２９０４３９号公報
【特許文献３】特開２００３−１７４３７６号公報
【発明の開示】
【発明が解決しようとする課題】
【００１１】
しかしながら、上記背景技術で述べた従来のチャンネル設定登録方法にあっては、例えば、前述の特許文献１に開示された技術の場合、ユーザがチャンネルプリセットを行うに際し、最初にダウンロードされた情報に基づいて表示された地域情報を示す画面から、ユーザが適切なもの（自分が住んでいる地域）を選択する必要があり、この選択のための操作が煩わしいという問題点があった。
【００１２】
また、サーバとの間で２度に渡るデータの送信やダウンロードが必要であり、通信料金がかさむと共に、チャンネルプリセットが完了するまでの経過時間が長くなるという問題点もあった。
【００１３】
また、前述の特許文献２に開示された技術の場合、テレビジョン受信装置の設置場所の電話番号を、ユーザが手操作で１桁ずつ入力する必要があるため、ユーザに手間がかかるという問題点があった。
【００１４】
また、テレビジョン受信装置のマイコン付属のメモリの記憶容量には限界があり、チャンネルプリセット用テーブルの登録に関し、各地方などの中継局まで全てカバーすることが困難であるという問題点については、未だ本質的な改善がなされた訳ではないという問題点があった。
【００１５】
さらに、前述の特許文献３に開示された技術の場合、テレビジョン受信装置にチャンネル設定するためだけに携帯電話端末やＧＰＳ装置等の大掛かりな設置位置検出装置を具備しておかなければならないため、設計・製造コストが増大するという問題点があった。
【００１６】
本発明は、上記従来の問題点に鑑みてなされたものであって、テレビジョン受信装置側でチャンネル設定を指示するボタンを押下するだけで、それ以降は、チャンネル設定が自動的に行われる低コストのチャンネル設定登録システムを提供することを目的としている。
【００１７】
本発明の他の目的は、チャンネル設定を指示するボタンを押下するだけで、それ以降は、チャンネル設定が自動的に行われる低コストのチャンネル設定登録システムを備えたテレビジョン受信装置を提供することにある。
【課題を解決するための手段】
【００１８】
上記課題を解決するために、本発明に係るチャンネル設定登録システム及びテレビジョン受信装置は、以下の特徴を備えている。
【００１９】
本発明に係るチャンネル設定登録システムは、記憶手段に記憶されたチャンネル設定用データに従ってテレビジョン放送を選局受信するテレビジョン受信装置と、前記チャンネル設定用データを登録しているサーバとが、公衆通信回線を介して接続されているチャンネル設定登録システムであって、前記テレビジョン受信装置から、前記サーバに、前記公衆通信回線を介して、発信者通知モードで発信することにより、前記テレビジョン受信装置に割り当てられた前記公衆通信回線の電話番号を前記サーバに通知する手段と、前記サーバにおいて、前記登録されているチャンネル設定用データの内から、前記通知された電話番号の地域に適合するチャンネル設定用データを検索する手段と、前記サーバから、前記検索されたチャンネル設定用データを、前記公衆通信回線を介して、前記テレビジョン受信装置に送信する手段と、前記テレビジョン受信装置において、前記送信されたチャンネル設定用データを、前記記憶手段に格納する手段と、を備えたことを特徴とする。
【００２０】
また、本発明に係るチャンネル設定登録システムは、前記記憶手段には、前記テレビジョン受信装置の出荷時のチャンネル設定用データが予め格納されていることを特徴とする。
【００２１】
また、本発明に係るチャンネル設定登録システムは、前記テレビジョン受信装置からの前記発信により、前記テレビジョン受信装置と前記サーバとの接続に失敗した場合に、再度、前記テレビジョン受信装置からの前記発信者通知モードでの発信を行うことを特徴とする。
【００２２】
また、本発明に係るチャンネル設定登録システムは、前記テレビジョン受信装置に付属しているチャンネル設定用ボタンが押下された時に、前記サーバへの前記発信者通知モードでの発信がなされることを特徴する。
【００２３】
また、本発明に係るテレビジョン受信装置は、チャンネル設定用データを登録しているサーバと公衆通信回線を介して接続され、記憶手段に記憶する前記チャンネル設定用データに従ってテレビジョン放送を選局受信するテレビジョン受信装置であって、前記サーバに、前記公衆通信回線を介して、発信者通知モードで発信することにより、自己に割り当てられた前記公衆通信回線の電話番号を前記サーバに通知する手段と、前記電話番号の通知を受け、前記登録されているチャンネル設定用データの内から前記電話番号の地域に適合するチャンネル設定用データを検索した前記サーバから、前記検索されたチャンネル設定用データが前記公衆通信回線を介して送信されてきた時に、これを前記記憶手段に格納する手段と、を備えたことを特徴とする。
【００２４】
また、本発明に係るテレビジョン受信装置は、前記記憶手段には、出荷時のチャンネル設定用データが予め格納されていることを特徴とする。
【００２５】
本発明に係るテレビジョン受信装置は、前記発信により、前記サーバとの接続に失敗した場合に、再度、前記発信者通知モードでの発信を行うことを特徴とする。
【００２６】
また、本発明に係るテレビジョン受信装置は、チャンネル設定のトリガを発生するチャンネル設定用ボタンが押下された時に、前記サーバへの前記発信者通知モードでの発信を行うことを特徴する。
【発明の効果】
【００２７】
以上説明したように、本発明のチャンネル設定登録システムによれば、ユーザが、テレビジョン受信装置側で、付属のチャンネル設定ボタンを押下するだけで、それ以降は、チャンネル設定が自動的になされるので、テレビジョン受信装置の購入直後のチャンネル設定や、移動時のチャンネル再設定等が容易となり、しかも、テレビジョン受信装置側では最小限のチャンネルプリセット用メモリを備えるだけでよいので、低コストのチャンネル設定登録システムを提供することができる。
【００２８】
さらに、サーバに、全国をカバーできるチャンネル設定データを登録しているので、チャンネルに変更があった場合に、チャンネル設定データの変更を、即時に行うことができると共に、チャンネル設定データを一元的に管理することができる。
【００２９】
また、本発明のテレビジョン受信装置によれば、ユーザが、付属のチャンネル設定ボタンを押下するだけで、それ以降は、チャンネル設定が自動的に行われるので、本装置の購入直後のチャンネル設定や、移動時のチャンネル再設定等が容易となり、しかも、最小限のチャンネルプリセット用メモリを内蔵するだけでよいので、低コストのテレビジョン受信装置を提供することができる。
【００３０】
さらに、最近の多くのテレビジョン受信装置には、ＢＳデジタル放送・ＣＳ放送の双方向可能な通信手段や、ペイパービュー登録のためのモデム等が装備されているので、チャンネル設定のための通信手段に、これらの金物を利用すれば、通信用の新たな回路を追加する必要がない。
【発明を実施するための最良の形態】
【００３１】
以下、本発明のチャンネル設定登録システム及びテレビジョン受信装置の最良の実施形態について、図面を参照して詳細に説明する。
【００３２】
図１は、本発明の実施形態に係るチャンネル設定登録システムの全体構成を示す構成図である。
【００３３】
同図において、本実施形態に係るチャンネル設定登録システムは、複数のテレビジョン受信機１（いずれも、本発明の実施形態に係るテレビジョン受信装置）と、各地域用のチャンネル設定用データ（チャンネル、周波数等）を登録するためのデータベースを備えたサーバ２と、複数のテレビジョン受信機１の各々とサーバ２とを接続する公衆電話回線３とを備える。
【００３４】
図２は、本発明の実施形態に係るテレビジョン受信装置の全体構成を示す構成図である。
【００３５】
同図において、本実施形態に係るテレビジョン受信装置の１例であるテレビジョン受信機１は、テレビジョン放送を受信するアンテナ１０と、受信信号を復調して画像データ信号及び音声データ信号に変換するチューナ１１と、本装置の構成要素全体を制御するマイコン１２と、チャンネル設定用データを登録するサーバ２とマイコン１２との間に介在してデータ信号の変調／復調変換を行うためのモデム１３と、マイコン１２に付属するメモリ１５と、チューナ１１から出力される画像データ信号及び音声データ信号を画像及び音声のオーディオ信号に変換する画像処理部１４と、画像及び音声のオーディオ信号を音声出力と共に表示する表示装置１６とを備えて構成される。
【００３６】
以下、本実施形態のチャンネル設定登録システム及びテレビジョン受信装置の機能について説明する。
【００３７】
図２のテレビジョン受信機１は、アンテナ１０で受信した電波をチューナ１１で復調して画像データ信号及び音声データ信号に変換し、この画像データ信号及び音声データ信号を、さらに、画像処理部１４で音声出力及び表示可能な画像及び音声のオーディオ信号に変換し、表示装置１６において音声出力すると共に、映像として表示する。
【００３８】
チューナ１１に対する受信周波数の調整は、本装置の出荷時に、メモリ１５に登録されていたチャンネル設定用データに基づいて、マイコン１２が制御する。但し、メモリ１５に出荷時に登録されているチャンネル設定用データは代表的なものに過ぎず、よって、ここでは、前述の「背景技術」の冒頭で述べた事情等により、テレビジョン受信機１の設置位置が、この出荷時の設定によってはテレビ放送が正しく受信できない地域に設置されているものと仮定する。
【００３９】
まず、いずれかのテレビ受信機１のユーザが、このテレビ受信機１に備えられた図示しないチャンネル設定用ボタンを押下するか、若しくは図示しないリモコン送信機のチャンネル設定用ボタンを押下することで、マイコン１２により、チャンネル自動設定の処理が開始される。
【００４０】
このチャンネル自動設定の処理が開始されると、マイコン１２は、地域毎のチャンネル設定用データが登録されているサーバ２に接続するために、発信者（即ち、本装置）の電話番号を、受信者に通知できる発信者番号通知モードで、モデム１３と公衆の電話回線３を介して、サーバ２に発信する。
【００４１】
これにより、サーバ２は、前記テレビジョン受信機１からの発信を受信して、発信元のテレビジョン受信機１との接続を確立する。
【００４２】
もしも、この接続の確立に失敗した場合には、発信元のテレビジョン受信機１は、再度、前記発信者番号通知モードでの発信から処理をやり直す。また、この接続が確立された場合には、サーバ２は、発信者番号通知により、発信者の電話番号を取得する。
【００４３】
サーバ２は取得した電話番号に対応する地域に適切なチャンネル設定用データを、登録されているチャンネル設定用データの内から探し出す。その後、サーバ２は、この探し出したチャンネル設定用データを、電話回線３を介して前記発信元のテレビジョン受信機１に送信する。
【００４４】
これにより、前記発信元のテレビジョン受信機１では、サーバ２からモデム１３を介してダウンロードされたチャンネル設定用データを、マイコン１２が受け取り、メモリ１５に格納し、次に、サーバ２との通信を完了し、電話回線３を切断する。
【００４５】
この結果、テレビジョン受信機１では、マイコン１２が、引き続き、メモリ１５に新たに格納されたチャンネル設定用データに基づいて、チューナ１１の受信周波数を調整する。これにより、テレビジョン受信機１が設置されている地域で放送されているテレビ放送の電波を正しく受信できるようになる。
【００４６】
図３は、本発明の実施形態に係るチャンネル設定登録システム及びテレビジョン受信装置の処理動作を示すフローチャートである。
【００４７】
以下、図１，２を参照しながら、図３に示すフローチャートを使用して、本実施形態に係るチャンネル設定登録システム及びテレビジョン受信装置におけるチャンネル自動設定の処理動作を説明する。
【００４８】
まず、テレビジョン受信機１のマイコン１２は、モデム１３を介して、受信者に通知できる発信者番号通知モードで、サーバ２との接続を図る（ステップＳ１）。
【００４９】
次に、マイコン１２は、サーバ２との接続が完了したか否かを検証し（ステップＳ２）、接続が完了した場合はステップＳ３に進む（ステップＳ２；Ｙｅｓ）。また、サーバ２との接続が完了していない場合はステップＳ１に戻る（ステップＳ２；Ｎｏ）。
【００５０】
ステップＳ３では、サーバ２が、テレビジョン受信機１のモデム１３との通信を行って、発信者番号情報を取得する。
【００５１】
次に、サーバ２は、登録されているチャンネル設定用データの内から、発信者番号に該当する地域のチャンネル設定用データを検索する（ステップＳ４）。
【００５２】
次に、サーバ２は、テレビジョン受信機１へ、検索したチャンネル設定用データを送信する（ステップＳ５）。
【００５３】
これを受けたテレビジョン受信機１のマイコン１２は、受信したチャンネル設定用データをメモリ１５に格納し、サーバ２との通信処理を終了する（ステップＳ６）。
【００５４】
この受信したチャンネル設定用データのメモリ１５への格納でもって、チャンネルプリセットが完了する。
【００５５】
なお、本発明に係るテレビジョン受信機１の各構成要素の処理の少なくとも一部をコンピュータにより実行するものとし、かつ、上記処理を、図３のフローチャートで示した手順によりコンピュータに実行せしめるプログラムは、半導体メモリを始め、ＣＤ−ＲＯＭや磁気テープなどのコンピュータ読み取り可能な記録媒体に格納して配付してもよい。そして、少なくともマイクロコンピュータ，パーソナルコンピュータ，汎用コンピュータを範疇に含むコンピュータが、上記の記録媒体から上記プログラムを読み出して、実行するようにしてもよい。
【図面の簡単な説明】
【００５６】
【図１】本発明の実施形態に係るチャンネル設定登録システムの全体構成を示す構成図である。
【図２】本発明の実施形態に係るテレビジョン受信装置の全体構成を示す構成図である。
【図３】本発明の実施形態に係るチャンネル設定登録システム及びテレビジョン受信装置の処理動作を示すフローチャートである。
【符号の説明】
【００５７】
１  テレビジョン受信機（本実施形態に係るテレビジョン受信装置）
２  サーバ
３  公衆電話回線
１０  アンテナ
１１  チューナ
１２  マイコン（制御用）
１３  モデム
１４  画像処理部
１５  メモリ
１６  表示装置
【図１】
2006129183.tif 000003
【図２】
2006129183.tif 000004
【図３】
2006129183.tif 000005